(57)【特許請求の範囲】
【請求項１】
液体を溜める液体容器であって、容器本体と、前記容器本体に固定され、ユーザにより保持される取っ手と、前記容器本体の開口部に取り付けられる栓体と、前記栓体に設けられ、前記容器本体の内側と外側とを連通する流路と、前記栓体に設けられ、前記流路を開閉する開閉弁と、前記栓体に設けられ、前記開閉弁を開閉させる開閉機構と、前記開閉機構を介して前記開閉弁を手動開閉操作する操作部と、を備え、
前記操作部は、前記取っ手に支持された回転軸周りに回動する操作レバーを備え、前記操作レバーの回動動作により前記開閉弁を開閉させる操作力を生じ、
前記操作部は、前記取っ手に支持された第二回転軸周りに回動する第二操作レバーを更に備え、
前記操作レバーは、前記回転軸から少なくとも下側の成分を有する方向に延びた下側延出部を有し、当該下側延出部は、ユーザにより押圧される押圧面を有する被押圧部と、前記被押圧部の押圧力により生じた力を前記第二操作レバーに伝達する作用部と、を有し、
前記第二操作レバーは、前記回転軸より下側に配置された前記第二回転軸から少なくとも上側の成分を有する方向に延びた上側延出部を有し、当該上側延出部は、前記作用部により押圧される第二被押圧部と、前記第二被押圧部の押圧力により生じた力を前記開閉機構側に伝達する第二作用部と、を有し、
前記第二被押圧部は、前記第二回転軸より上側に配置され、前記第二作用部は、前記第二被押圧部よりも上側に配置される液体容器。
【請求項２】
前記上側延出部は、前記開閉機構に向かって突出した突出部を有し、前記第二作用部は、前記突出部に設けられ、前記突出部は、前記第二被押圧部が前記作用部により押圧されることにより、前記容器本体から前記開閉機構に向かって突出し、前記開閉弁を開閉させる請求項１に記載の液体容器。
【請求項３】
請求項１または２に記載された液体容器と、水を溜める水タンクと、前記水タンクの水を加熱して、粉砕されたコーヒ豆を溜める抽出容器に供給し、当該抽出容器で抽出されたコーヒ抽出液を前記液体容器に供給するコーヒ抽出部と、を備えたコーヒメーカ。
【発明の詳細な説明】
【技術分野】
【０００１】
本発明は、液体を溜める液体容器、及び液体容器を備えたコーヒメーカに関する。
【背景技術】
【０００２】
上記のような液体容器として、例えば、下記の特許文献１及び特許文献２に記載された液体容器が既に知られている。特許文献１の技術では、栓体に設けられた開閉弁を、栓体に設けられた操作レバーの回動動作により開閉させるように構成されている。特許文献２の技術では、取っ手に設けられた、水平方向にスライドする押しボタン式の操作ボタンをスライド操作することにより、栓体に設けられた開閉機構を介して、栓体の開閉弁を開閉させるように構成されている。
【先行技術文献】
【特許文献】
【０００３】
【特許文献１】特開２００８−２６４０９１号公報
【特許文献２】特開２００９−２７９３２９号公報
【発明の概要】
【発明が解決しようとする課題】
【０００４】
しかしながら、特許文献１の技術では、操作レバーが栓体に設けられているため、操作レバーと取っ手との距離が遠くなり、例えば、ユーザが親指を除く４本の指で取っ手を握った状態で、親指を上側に延ばして操作レバーを操作する必要があり、操作し難いという問題があった。引用文献２の技術では、例えば、ユーザが親指を除く４本の指で取っ手を握った状態で、親指の第一、第二、及び第三関節を複雑に動かして、親指の先端を水平方向に移動させ、操作ボタンを水平方向に押す必要があり、操作し難いという問題があった。
【０００５】
そこで、ユーザが開閉弁を開閉操作する操作部と、取っ手との距離を短縮すると共に、操作部の操作性を向上することができる液体容器の実現が望まれる。
【課題を解決するための手段】
【０００６】
本発明に係る、液体を溜める液体容器の特徴構成は、容器本体と、前記容器本体に固定され、ユーザにより保持される取っ手と、前記容器本体の開口部に取り付けられる栓体と、前記栓体に設けられ、前記容器本体の内側と外側とを連通する流路と、前記栓体に設けられ、前記流路を開閉する開閉弁と、前記栓体に設けられ、前記開閉弁を開閉させる開閉機構と、前記開閉機構を介して前記開閉弁を手動開閉操作する操作部と、を備え、前記操作部は、前記取っ手に支持された回転軸周りに回動する操作レバーを備え、前記操作レバーの回動動作により前記開閉弁を開閉させる操作力を生じる点にある。この特徴構成によれば、操作レバーの回転軸は、取っ手に支持されているので、操作レバーを、取っ手を握った手に近づけて配置することができる。操作レバーを操作する際に、ユーザが親指を上側に延ばす必要性を低減することができる。また、関節周りの指の回動動作と同様に回動動作をする操作レバーを備えることで、例えば、第二関節を中心に親指を回動動作させることにより、開閉弁を開閉させることができる。よって、操作部の操作性を向上することができる。
【０００７】
本発明に係る液体容器の更なる特徴構成は、前記操作部は、前記取っ手に支持された第二回転軸周りに回動する第二操作レバーを更に備え、前記操作レバーは、前記回転軸から少なくとも下側の成分を有する方向に延びた下側延出部を有し、当該下側延出部は、ユーザにより押圧される押圧面を有する被押圧部と、前記被押圧部の押圧力により生じた力を前記第二操作レバーに伝達する作用部と、を有し、前記第二操作レバーは、前記回転軸より下側に配置された前記第二回転軸から少なくとも上側の成分を有する方向に延びた上側延出部を有し、当該上側延出部は、前記作用部により押圧される第二被押圧部と、前記第二被押圧部の押圧力により生じた力を前記開閉機構側に伝達する第二作用部と、を有し、前記第二被押圧部は、前記第二回転軸より上側に配置され、前記第二作用部は、前記第二被押圧部よりも上側に配置される点にある。この構成によれば、ユーザに押圧される被押圧部は、取っ手に支持された回転軸から少なくとも下側の成分を有する方向に延びる下側延出部に設けられているため、被押圧部を下側に移動させることができる。よって、容器本体をバランスよく持つことができる容器本体の側方を持った状態で操作部を操作することが容易になり、液体を注出する際の操作性が向上する。一方、作用部も下側延出部に設けられるため、作用部が、栓体に設けられた開閉機構に対して相対的に下側に移動する。上記の構成によれば、第二被押圧部よりも下側に配置された第二回転軸を支点として、第二操作レバーの上側延出部が回動し、てこの原理により、作用部から第二被押圧部に伝達された押圧力を、第二被押圧部の上側に配置された第二作用部に伝達することができる。よって、第二操作レバーにより、作用部の押圧力を、作用部よりも上側に伝達することができる。また、てこの原理により、第二作用部の移動量は、第二被押圧部の移動量よりも大きくなる。すなわち、第二操作レバーにより、作用部の移動量を増大して、開閉機構側に伝達することができる。従って、第二操作レバーにより、作用部の押圧力を上側に伝達すると共に、作用部の移動量を増大して、開閉機構側に伝達することができる。このように、第二操作レバーにより、開閉弁の開閉に必要な操作レバーの回動量（ストローク）を、低減させることができ、操作部の操作性を向上させることができる。
【０００８】
本発明に係る液体容器の更なる特徴構成は、前記操作部は、前記操作レバーの回動動作により、少なくとも水平方向の成分を有する操作スライド方向にスライドする操作スライド部材を更に備え、前記操作スライド部材は、前記操作レバーの回動動作により、前記容器本体から前記開閉機構に向かって突出し、前記開閉弁を開閉させる点にある。この構成によれば、回転軸周りに円弧を描く操作レバーの動きを、操作スライド方向の動きに変換することができる。よって、操作部の動きを、機械的な機構に適したピストン運動に変換して、開閉機構に伝達することができる。また、操作スライド部材は操作スライド方向にスライドするため、操作スライド部材が容器本体から突出する部分における、操作スライド部材と容器本体との間の隙間を低減することが容易になり、当該隙間から操作部側に液体が進入することを抑制できる。
【０００９】
本発明に係る液体容器の更なる特徴構成は、前記開口部は、前記操作スライド部材が貫通する貫通孔を有し、前記貫通孔には、前記操作スライド部材との間をシールするシール部材が備えられる点にある。この構成によれば、シール部材により、貫通孔を介して操作部側に液体が浸入することを抑制できる。
【００１０】
本発明に係る液体容器の更なる特徴構成は、前記上側延出部は、前記開閉機構に向かって突出した突出部を有し、前記第二作用部は、前記突出部に設けられ、前記突出部は、前記第二被押圧部が前記作用部により押圧されることにより、前記容器本体から前記開閉機構に向かって突出し、前記開閉弁を開閉させる点にある。この構成によれば、第二作用部に突出部を設けることにより、開閉機構に押圧力を伝達することができ、操作部の構成を簡単なものとすることができる。
【００１１】
本発明に係る液体容器の更なる特徴構成は、前記操作レバーにおけるユーザにより押圧される押圧面は、押圧されていない状態で、少なくとも上側の成分を有する方向を向いている点にある。この構成によれば、例えば、ユーザが親指を除く４本の指で取っ手を握った状態で、斜め上側に延びた親指を下側に向かって回動させるだけで、操作レバーを下側に回動させることができ、手の動きの負担を少なくすることができる。
【００１２】
本発明に係る液体容器の更なる特徴構成は、前記開閉機構は、前記操作部の押圧力により、少なくとも水平方向の成分を有する開閉スライド方向にスライドする開閉スライド部材を備え、前記開閉スライド部材は、前記開閉弁を押圧し開閉させる、前記開閉スライド方向に対して傾いた傾斜面を有し、前記操作レバーは、前記回転軸から少なくとも下側の成分を有する方向に延びた下側延出部を有し、当該下側延出部は、ユーザにより押圧される押圧面を有する被押圧部を有し、前記回転軸は、前記開閉スライド方向に見て前記開閉スライド部材と重複しており、前記押圧面は、前記開閉スライド部材よりも下側に配置される部分を有している点にある。この構成によれば、回転軸を開閉スライド部材と開閉スライド方向に見て重複する位置まで下側に下げて配置し、押圧面を、開閉スライド部材よりも下側に配置される部分を有するまで下側に配置することができる。そのため、ユーザは、液体容器をバランスよく持った状態で、操作レバーを操作しながら、液体容器を傾けて液体を注出することができる。また、回転軸が、開閉スライド部材の上下方向の位置よりも上側に突出して配置されていないので、操作部が上側に大きくなることを抑制し、液体容器を上下方向にコンパクト化することができる。
【００１３】
本発明に係るコーヒメーカの特徴構成は、上述した液体容器と、水を溜める水タンクと、前記水タンクの水を加熱して、粉砕されたコーヒ豆を溜める抽出容器に供給し、当該抽出容器で抽出されたコーヒ抽出液を前記液体容器に供給するコーヒ抽出部と、を備えた点にある。この構成によれば、コーヒ抽出部により抽出されたコーヒ抽出液を溜める液体容器にも上述した液体容器に係る作用効果を得ることができる。
【図面の簡単な説明】
【００１４】
【図１】液体容器がコーヒメーカに組み込まれた状態の側面図
【図２】開閉弁が閉じられた状態の液体容器の縦断面図
【図３】開閉弁が閉じられた状態の液体容器の要部縦断面図
【図４】開閉弁が開かれた状態の液体容器の要部縦断面図
【図５】開閉機構、操作部、及び開閉弁などの要部斜視図
【図６】容器本体の斜視図
【図７】別実施形態に係る開閉弁が閉じられた状態の液体容器の要部縦断面図
【図８】別実施形態に係る開閉弁が開かれた状態の液体容器の要部縦断面図
【発明を実施するための形態】
【００１５】
本発明に係る液体容器１の実施形態について、図面を参照して説明する。図１は、液体容器１が、コーヒメーカ５０に組み込まれた状態の側面図であり、図２は、開閉弁５が閉じられた状態の液体容器１を開口部１０の中心線Ｃを通り上下方向Ｖに平行な平面で切断した縦断面図であり、図３は、開閉弁５が閉じられた状態の液体容器１において、開閉機構６を一部側面図化した図２と同様の縦断面図であり、図４は、開閉弁５が開かれた状態の液体容器１において、図３と同様に開閉機構６を一部側面図化した縦断面図であり、図５は、開閉機構６、操作部７、及び開閉弁５などの要部斜視図であり、図６は、容器本体２の斜視図である。
【００１６】
液体容器１は、内部に液体を溜める容器である。液体容器１は、容器本体２、取っ手３、流路３９、栓体４、開閉弁５、開閉機構６、及び操作部７を備えている。容器本体２は、内部に液体を溜める容器の本体である。取っ手３は、容器本体２に固定され、容器本体２をユーザにより保持される部分である。栓体４は、容器本体２の開口部１０に取り付けられ、開口部１０を塞ぐ栓又は蓋である。流路３９は、栓体４に設けられ、容器本体２の内側と外側とを連通する。開閉弁５は、栓体４に設けられ、流路３９を開閉する弁である。開閉機構６は、栓体４に設けられ、開閉弁５を開閉させる機構である。操作部７は、開閉機構６を介して開閉弁５を手動開閉操作する操作機構である。操作部７は、取っ手３に支持された第一回転軸Ａ周りに回動する第一操作レバー８を備え、第一操作レバー８の回動動作により開閉弁５を開閉させる操作力を生じる。なお、第一回転軸Ａが、本発明における「回転軸」であり、第一操作レバー８が、本発明における「操作レバー」である。本願において、「上」、「下」、又は「水平」は、液体容器１が水平な平面上に置かれた場合における鉛直方向の「上」、「下」、又は「水平」を意味し、「上下方向Ｖ」は、鉛直方向に平行になるものとする。また、「周方向」、「径方向」及び「軸方向」は、容器本体２の開口部１０の中心線Ｃについての方向であるものとする。また、第一回転軸Ａの回転軸心に平行な方向を、回転軸方向Ｚと定義する。以下、本実施形態に係る液体容器１について、詳細に説明する。
【００１７】
本実施形態では、図１に示すように、液体容器１は、コーヒメーカ５０に組み込まれている。コーヒメーカ５０は、液体容器１、水タンク５１、及びコーヒ抽出部５２を備えている。水タンク５１は、水を溜める容器である。コーヒ抽出部５２は、水タンク５１の水を電気ヒータにより加熱して、粉砕されたコーヒ豆を溜める抽出容器５３に供給し、当該抽出容器５３で抽出されたコーヒ抽出液を液体容器１に供給する。抽出容器５３で抽出されたコーヒ抽出液は、抽出容器５３の下端部に設けられた排出口から下側に排出され、抽出容器５３の下側に配置された液体容器１に供給される。抽出容器５３の下側には、液体容器１の栓体４が配置される。栓体４には、後述する抽出液用の第二開閉弁３８が設けられており、抽出容器５３から排出されたコーヒ抽出液は、第二開閉弁３８を通って、容器本体２の内部に導かれる。
【００１８】
図２及び図６に示すように、容器本体２は、内部に液体を溜める容器の本体である。容器本体２は、上下方向Ｖに延びる有底筒状に形成された容器部２５と、上側に開口する容器部２５の開口部分を形成する開口部１０と、を有している。容器部２５は、上側に向かうに従って径が小さくなる円筒状に形成されている。開口部１０は、上下方向Ｖに延びる円筒状に形成されている。開口部１０及び容器部２５の中心線Ｃは、上下方向Ｖに平行にされている。容器本体２は、内側の容器と外側の容器の二重構造とされた有底筒状の容器部材２６を備えている。容器部材２６には、ステンレスが用いられ、真空構造とされている。容器部材２６の上側部分は、開口部１０の下側部分の内周面を構成している。容器本体２は、開口部１０の上側部分の内周面及び開口部１０の外周面を構成する円筒状の開口枠部材２７を備えている。開口枠部材２７の下側部分の内周面が、容器部材２６の上端部の外周面に嵌合されて、開口枠部材２７が容器部材２６に固定される。開口枠部材２７の上側部分の周方向の一部が、径方向外側に突出しており、注ぎ口３１とされている。開口枠部材２７の上側部分における注ぎ口３１とは中心線Ｃを挟んで反対側の周壁に、後述する操作スライド部材１７が貫通する貫通孔３２が形成されている。
【００１９】
取っ手３は、容器本体２に固定され、容器本体２を持ち上げるためにユーザが手で保持する棒状の部分である。本実施形態では、取っ手３は、容器本体２の開口部１０の外周側に固定されている。取っ手３は、開口部１０（開口枠部材２７）の周方向の一箇所から径方向外側及び下側に延びている。本例では、取っ手３は、開口部１０から径方向外側に延びた後、容器部２５の径方向外側を下側に延び、その後、容器部２５の下側部分の外周面まで径方向内側に延びており、Ｕ字状に湾曲している。取っ手３は、取っ手３の内側部分を構成する内側部材２８と、取っ手３の外側部分を構成する外側部材２９とから構成されている。内側部材２８は、開口枠部材２７と一体形成されており、開口枠部材２７が容器部材２６に固定されることにより、取っ手３が容器本体２に固定される。外側部材２９は、内側部材２８に取り付けられるカバー部材となる。取っ手３は、筒状に形成されており、内部が空洞になっている。開口枠部材２７における開口部１０から径方向外側に延びる部分（以下、取っ手肩部３０と称す）の内部には、後述する操作部７が設けられている。詳細は後述するが、取っ手肩部３０の外壁は、径方向外側の壁７１において開口した操作開口部６９を有しており、操作開口部６９から、後述する第一操作レバー８の押圧ボタン部７０が外側に突出している。
【００２０】
栓体４は、容器本体２の開口部１０に取り付けられ、開口部１０を塞ぐ栓又は蓋である。本実施形態では、栓体４は、円柱状に形成されており、円筒状に形成された開口部１０の内側に嵌合される。栓体４は、栓体４の骨組みとなる栓本体部材３７、栓体４の上側を覆うカバー部材４７、開閉弁５、開閉機構６、第二開閉弁３８、及びゴムパッキン３４などから構成されている。図２から図４に示すように、栓体４は、開口部１０に取り付けられた状態で、操作部７から開閉機構６に操作力を伝達可能になるように、容器本体２に対して所定の周方向の向きになるように構成されている。栓体４は、ねじ込み式とされており、開口部１０にねじ込まれた状態で、所定の周方向の向きになるようにネジ部が形成されている。栓体４の外周面の下端部に、円筒状のゴムパッキン３４が取り付けられており、栓体４と開口部１０との間をシールする。
【００２１】
栓体４には、開口部１０に取り付けられた状態で、容器本体２の内側と外側とを連通する流路３９が設けられている。栓体４には、流路３９を開閉する開閉弁５が設けられている。開閉弁５が開くと、容器本体２内の液体を、流路３９を通じて、容器本体２の外部に注ぎ出すことができる。また、栓体４には、開閉弁５を開閉させる開閉機構６が設けられている。本実施形態では、開閉弁５は、上下方向Ｖにスライドすることにより、開閉するように構成されており、開閉機構６は、開閉弁５を上下方向Ｖにスライドさせる。栓体４（栓本体部材３７）の下端部には、下側に開口する、中心線Ｃを中心とする円柱状の開口凹部４０が形成されており、当該開口凹部４０が、流路３９における容器本体２内側の開口とされている。流路３９は、開口凹部４０の上面における注ぎ口３１側の端部に形成された開口から、栓体４（栓本体部材３７）内を上側に延びた後、径方向外側に延びて、栓体４の外周面における注ぎ口３１と対向する部分に開口する内部流路４１を有している。開閉弁５は、弁を構成する弁本体部３５と、弁本体部３５を支持する弁支持部３６と、を有している。弁本体部３５は、中心線Ｃを中心とする円板状に形成されている。弁本体部３５は、開口凹部４０を下側から覆い、開口凹部４０を塞ぐことができる。弁本体部３５が上側にスライドし、開口凹部４０に当接すると、開口凹部４０が弁本体部３５により塞がれ、開閉弁５が閉じた状態になる。一方、弁本体部３５が下側にスライドし、開口凹部４０から離間すると、開口凹部４０の閉塞が解除され、開閉弁５が開いた状態になる。弁支持部３６は、弁本体部３５の中心部から上側に延びる、中心線Ｃを中心とする円筒状に形成されている。弁支持部３６の上端部は、後述する開閉機構６の弁側傾斜面部材４２と一体移動するように連結されている。開閉弁５（弁側傾斜面部材４２）は、弾性部材６０（本例ではコイルばね）により、栓体４（栓本体部材３７）に対して上側に付勢されており、開閉機構６により開閉弁５が下側に押圧されていない状態では、開閉弁５は上側にスライドし、開閉弁５は閉じた状態になる。一方、開閉機構６の下側への押圧力が、弾性部材６０の上側への付勢力を上回ると、開閉弁５が下側にスライドし、開閉弁５は開いた状態になる。
【００２２】
栓体４には開閉可能な第二開閉弁３８が設けられている。栓体４には、容器本体２の内側と外側とを連通し、コーヒ抽出部５２から供給された液体を容器本体２の内部に導くための第二流路４６が設けられており、第二開閉弁３８は、第二流路４６を開閉する。第二流路４６は、栓体４の中心部を上下方向Ｖに貫通するように構成されている。開閉弁５（弁本体部３５及び弁支持部３６）の中心部には、上下方向Ｖに貫通する中心貫通孔４５が形成されており、中心貫通孔４５が、第二流路４６の下側部分を構成する。カバー部材４７は、中心部を貫通し、下側に延びる円筒状のカバー貫通筒４８を有しており、カバー貫通筒４８が、第二流路４６の上側部分を構成する。また、カバー部材４７は、上側に配置されたコーヒ抽出部５２から供給された液体を受けるため、その中心部付近が漏斗状に下側に窪んだ漏斗状部４９を有しており、カバー貫通筒４８は、当該漏斗状部４９の中心から下側に延びている。第二開閉弁３８は、弁を構成する円板状の第二弁本体部４３と、第二弁本体部４３を支持する棒状の第二弁支持部４４と、を有している。第二弁支持部４４は、第二流路４６内に配置され、第二流路４６を上下方向Ｖに貫通している。第二弁本体部４３は、開閉弁５の中心貫通孔４５を下側から覆い、中心貫通孔４５を塞ぐことができる。第二弁本体部４３が上側にスライドし、中心貫通孔４５に当接すると、中心貫通孔４５が塞がれ、第二開閉弁３８が閉じた状態になる。一方、第二弁本体部４３が下側にスライドし、中心貫通孔４５から離間すると、中心貫通孔４５の閉塞が解除され、第二開閉弁３８が開いた状態になる。カバー部材４７よりも上側に突出した第二弁支持部４４の上端部には、半球状の押圧ボタン６１が設けられている。第二開閉弁３８（押圧ボタン６１）は、第二弾性部材６２（本例ではコイルばね）により、栓体４（カバー部材４７）に対して上側に付勢されている。抽出容器５３により第二開閉弁３８が下側に押圧されていない状態では、第二開閉弁３８は上側にスライドし、第二開閉弁３８は閉じた状態になる。一方、液体容器１が抽出容器５３の下側に配置されると、抽出容器５３により押圧ボタン６１が下側に押圧され、第二開閉弁３８が下側にスライドし、第二開閉弁３８は開いた状態になる。
【００２３】
開閉機構６は、操作部７の押圧力により、少なくとも水平方向Ｈの成分を有する開閉スライド方向Ｙにスライドする開閉スライド部材２１を備えている。開閉スライド部材２１は、開閉スライド方向Ｙに対して傾いた傾斜面２２を有しており、傾斜面２２は、開閉弁５を押圧し開閉させる。本実施形態では、開閉スライド方向Ｙは、水平方向Ｈに平行されている。開閉スライド方向Ｙにおける開閉スライド部材２１に対して操作部７が配置されている側（図２から図４の右側）を、スライド方向第一側Ｙ１と定義し、スライド方向第一側Ｙ１とは反対側（図２から図４の左側）を、スライド方向第二側Ｙ２と定義する。なお、開閉スライド方向Ｙは、後述する操作スライド部材１７の操作スライド方向Ｘと平行にされている。図３及び図４に示すように、傾斜面２２は、スライド方向第一側Ｙ１及び下側の成分を有する方向に延出しており、スライド方向第二側Ｙ２及び下側の成分を有する方向を向いている。本例では、傾斜面２２は、スライド方向第一側Ｙ１に対して下側に３０度程度傾斜した平面とされている。開閉機構６は、傾斜面２２に対向する第二傾斜面６３を有する弁側傾斜面部材４２を有している。弁側傾斜面部材４２は、開閉弁５（弁支持部３６の上端部）に連結されており、開閉弁５と一体的に上下方向Ｖにスライドする。第二傾斜面６３は、傾斜面２２と同様にスライド方向第一側Ｙ１及び下側の成分を有する方向に延出しており、スライド方向第一側Ｙ１及び上側の成分を有する方向を向いている。図３から図４への変化に示すように、開閉スライド部材２１が、操作部７により押圧されて、スライド方向第二側Ｙ２にスライドすると、傾斜面２２が第二傾斜面６３を下側に押圧し、開閉弁５を開かせる。一方、操作部７により開閉スライド部材２１が押圧されていない状態では、弾性部材６０の付勢力により、第二傾斜面６３が傾斜面２２を上側に押圧し、開閉スライド部材２１をスライド方向第一側Ｙ１にスライドさせると共に、開閉弁５を閉じさせる。
【００２４】
開閉スライド部材２１は、栓体４の外周部までスライド方向第一側Ｙ１に延びている。開閉スライド部材２１のスライド方向第一側Ｙ１の端面が、操作部７により押圧される被押圧面６４とされている。被押圧面６４は、栓体４（栓本体部材３７）の外周面に設けられた開口から栓体４の外部に露出している。被押圧面６４は、後述するスライド軸体１８の突出押圧面７７と対向している。栓体４の中心部には、第二開閉弁３８などが設けられているため、図５に示すように、開閉スライド部材２１は、被押圧面６４を形成する部分から、栓体４の中心部を避けて開閉スライド方向Ｙに直交する方向に二つに分かれて、スライド方向第二側Ｙ２に延びる二股部６５を有している。傾斜面２２は、二股部６５のそれぞれに設けられている。弁側傾斜面部材４２も、栓体４の中心部を避けて開閉スライド方向Ｙに直交する方向に二つに分かれた部分のそれぞれに第二傾斜面６３を備えている。なお、図３及び図４は、傾斜面２２の動きを理解し易いよう、開閉スライド部材２１及び弁側傾斜面部材４２を一部、側面図で示している。
【００２５】
操作部７は、開閉機構６を介して開閉弁５を手動開閉操作する操作機構である。操作部７は、取っ手３に支持された第一回転軸Ａ周りに回動する第一操作レバー８を備え、第一操作レバー８の回動動作により開閉弁５を開閉させる操作力を生じる。図２に示すように、通常、ユーザは親指を除く４本の指で取っ手３を握り、親指で操作部７を操作する。第一操作レバー８の第一回転軸Ａは、取っ手３に支持されているので、第一操作レバー８を取っ手３を握った手に近づけて配置することができる。よって、従来技術において、操作レバーが栓体に設けられている場合のように、ユーザが親指を上側に延ばすことなく操作レバーを操作することが可能になる。また、従来技術において、栓体に設けられた操作レバーに近づけるために、取っ手を容器本体の上側に寄せて取り付けて、ユーザが液体容器１の上側に寄った部分を持つ必要性を低減することができる。すなわち、液体容器の上端から下側に移動した液体容器１の側方を持つことが可能になり、液体容器１をバランスよく持ち、液体を注出することができる。そして、取っ手３を持つ自然な手の姿勢で、親指を主に第二関節６６を中心に回動させることにより、第一操作レバー８を回動させることができる。すなわち、親指の回動動作と同様に回動動作をする第一操作レバー８を備えることで、親指を回動動作させることにより、開閉弁５を開閉することができ、操作性のよいものとすることができる。
【００２６】
第一操作レバー８におけるユーザにより押圧される押圧面２０は、押圧されていない状態で、少なくとも上側の成分を有する方向を向いている。図２に示すように、ユーザが４本の指で取っ手３を握った状態では、通常、親指は斜め上側に延びる。押圧面２０が少なくとも上側の成分を有する方向を向いているため、斜め上側に延びた親指を下側に向かって回動させるだけで、第一操作レバー８を回動させることができ、手の動きの負担を少なくすることができる。ここで、押圧面２０が、少なくとも上側の成分を有する方向を向いているとは、押圧面２０の法線方向が、少なくとも、上側に向かう方向の成分を有していることである。本実施形態では、押圧面２０は、径方向外側及び下側の成分を有する方向に延びており、押圧面２０は、径方向外側及び上側の成分を有する方向を向いている。押圧面２０は、押圧されていない状態で、径方向外側に向く方向に対して下側に３０度から６０度の範囲内（本例では４０度程度）で傾斜しており、親指の傾きに適合している。押圧面２０の周りに配置された取っ手肩部３０の径方向外側の壁も、径方向外側及び下側の成分を有する方向に延びており、径方向外側及び上側の成分を有する方向を向いている。第一回転軸Ａは、開閉スライド方向Ｙに見て開閉スライド部材２１と重複しており、押圧面２０は、開閉スライド部材２１よりも下側に配置される部分を有している。この構成によれば、第一回転軸Ａを開閉スライド部材２１と開閉スライド方向Ｙに見て重複する位置まで下側に下げて配置し、押圧面２０を、開閉スライド部材２１よりも下側に配置される部分を有するまで下側に配置することができる。そのため、ユーザは、液体容器１をバランスよく持った状態で、第一操作レバー８を操作しながら、液体容器１を傾けて液体を注出することができる。また、第一回転軸Ａが、開閉スライド部材２１の上下方向Ｖの位置よりも上側に突出して配置されていないので、操作部７が上側に大きくなることを抑制し、液体容器１を上下方向Ｖにコンパクト化することができる。
【００２７】
操作部７は、取っ手３に支持された第二回転軸Ｂ周りに回動する第二操作レバー９を備えている。第一操作レバー８は、第一回転軸Ａから少なくとも下側の成分を有する方向（本例では、下側及び径方向外側の成分を有する方向）に延びた下側延出部１１を有している。下側延出部１１は、ユーザにより押圧される押圧面２０を有する第一被押圧部１２と、第一被押圧部１２の押圧力により生じた力を第二操作レバー９に伝達する第一作用部１３と、を有している。なお、第一被押圧部１２が、本発明における「被押圧部」であり、第一作用部１３が、本発明における「作用部」である。第二操作レバー９は、第一回転軸Ａより下側に配置された第二回転軸Ｂから少なくとも上側の成分を有する方向（本例では、上側）に延びた上側延出部１４を有している。上側延出部１４は、第一作用部１３により押圧される第二被押圧部１５と、第二被押圧部１５の押圧力により生じた力を開閉機構６側に伝達する第二作用部１６と、を有している。第二被押圧部１５は、第二回転軸Ｂより上側に配置され、第二作用部１６は、第二被押圧部１５よりも上側に配置される。
【００２８】
この構成によれば、第一操作レバー８の下側延出部１１は、取っ手３に支持された第一回転軸Ａから少なくとも下側の成分を有する方向に延びており、下側延出部１１に第一作用部１３が設けられている。そのため、第一作用部１３は、本実施形態のように、栓体４に設けられた開閉機構６よりも、下側に配置される場合がある。このような場合は、第一作用部１３の押圧力を、開閉機構６まで上側に伝達する伝達機構が必要である。本実施形態では、伝達機構として、上記のような第二操作レバー９が設けられており、第二操作レバー９により、第一作用部１３の押圧力を上側に伝達するように構成されている。具体的には、第二回転軸Ｂを支点として、第二操作レバー９の上側延出部１４が回動し、てこの原理により、第二被押圧部１５に伝達された押圧力を、第二被押圧部１５の上側に配置された第二作用部１６に伝達することができる。また、第二回転軸Ｂと第二作用部１６との距離は、第二回転軸Ｂと第二被押圧部１５との距離よりも長くなるので、てこの原理により、第二作用部１６の移動量は、第二被押圧部１５の移動量よりも大きくなる。すなわち、第二操作レバー９により、第一作用部１３の移動量を増大して、開閉機構６側に伝達することができる。従って、第二操作レバー９により、第一作用部１３の押圧力を上側に伝達すると共に、第一作用部１３の移動量を増大して、開閉機構６側に伝達することができる。第二操作レバー９により、開閉弁５の開閉に必要な第一操作レバー８の回動量（ストローク）を、低減させることができ、操作部７の操作性を向上させることができる。
【００２９】
本実施形態では、図３などに示すように、第一回転軸Ａは、取っ手３（取っ手肩部３０）の回転軸方向Ｚの両側の壁に形成された内側に開口する支持穴（不図示）に嵌合されて、回転可能に支持されている。第一回転軸Ａは、取っ手肩部３０の内部空間の上端部に配置されている。第一操作レバー８を構成する下側延出部１１は、取っ手肩部３０の内部空間を、親指の幅に対応する程度の回転軸方向Ｚの幅を有して、第一回転軸Ａから下側及び径方向外側の成分を有する方向に延びている。下側延出部１１の上側及び径方向外側の成分を有する方向側の面が、第一被押圧部１２を構成する押圧面２０とされ、下側延出部１１の下側及び径方向内側の面が、第一作用部１３とされる。より詳細には、図３及び図５などに示すように、下側延出部１１は、上側及び径方向外側の成分を有する方向に突出する押圧ボタン部７０を有しており、押圧ボタン部７０の上側及び径方向外側の成分を有する方向側の面が、第一被押圧部１２となる押圧面２０とされている。押圧ボタン部７０は、取っ手肩部３０の径方向外側の壁７１に形成された操作開口部６９を内側から外側に突き抜けている。下側延出部１１は、回転軸方向Ｚの両側の端部から、それぞれ径方向内側に突出する、回転軸方向Ｚに薄い板状の内側突出部７２を有しており、内側突出部７２のそれぞれの径方向内側の先端が第一作用部１３とされている。第一回転軸Ａにおける回転軸方向Ｚの中心部分は切り欠けられており、当該切欠き部分に、後述する操作スライド部材１７（スライド軸体１８及び被押圧延出部７６）が配置される。よって、第一回転軸Ａと操作スライド部材１７とを回転軸方向Ｚに見て、重複するように配置することができ、操作部７をコンパクト化することができると共に、第一回転軸Ａを操作スライド部材１７と重複する位置まで下側に配置することができる。
【００３０】
図３などに示すように、第二回転軸Ｂは、取っ手３（取っ手肩部３０）の回転軸方向Ｚの両側の壁に形成された内側に開口する支持穴（不図示）に嵌合されて、回転可能に支持されている。第二回転軸Ｂは、取っ手肩部３０の内部空間の下端部に配置されている。第二回転軸Ｂは、第一回転軸Ａよりも下側であって、上下方向Ｖに見て第一回転軸Ａと重複する位置に配置されている。第二回転軸Ｂは、第一作用部１３よりも下側に配置されている。第二操作レバー９を構成する上側延出部１４は、取っ手肩部３０の内部空間を、下側延出部１１と同等の回転軸方向Ｚの幅を有して、第二回転軸Ｂから上側に延びている。上側延出部１４は、第一操作レバー８の径方向内側に配置されている。上側延出部１４における上下方向Ｖの中心付近の径方向外側面が、第一作用部１３により押圧される第二被押圧部１５とされており、上側延出部１４の上端部の径方向内側面が、第二作用部１６とされている。より詳細には、図３及び図５などに示すように、上側延出部１４は、回転軸方向Ｚの両側の端部において、それぞれ、第二回転軸Ｂから上側に延びる、回転軸方向Ｚに薄い板状の両端構成部７４を有しており、両端構成部７４のそれぞれの上下方向Ｖの中心付近の径方向外側面が、内側突出部７２のそれぞれの第一作用部１３に押圧される第二被押圧部１５とされている。下側延出部１１は、二つの両端構成部７４の間に配置され、上側及び回転軸方向Ｚに延びる板状の中間構成部材７５を有している。中間構成部材７５の上端部の径方向内側面が、後述する操作スライド部材１７を押圧する第二作用部１６とされている。二つの両端構成部７４の間であって、中間構成部材７５の径方向内側の空間には、後述する操作スライド部材１７の被押圧延出部７６が配置される。
【００３１】
操作部７は、第一操作レバー８の回動動作により、少なくとも水平方向Ｈの成分を有する操作スライド方向Ｘにスライドする操作スライド部材１７を備えている。操作スライド部材１７は、第一操作レバー８の回動動作により、容器本体２から開閉機構６に向かって突出し、開閉弁５を開閉させる。本実施形態では、操作部７は、第一操作レバー８の回動動作により生じた第二作用部１６の押圧力により、操作スライド方向Ｘにスライドする操作スライド部材１７を備えている。操作スライド部材１７は、図３から図４の変化に示すように、第一操作レバー８の回動動作の結果、第二作用部１６により押圧されることにより、容器本体２から開閉機構６に向かって突出し、開閉弁５を開閉させるように構成されている。この構成によれば、第二回転軸Ｂ周りに円弧を描く第二作用部１６の動きを、操作スライド方向Ｘの動きに変換することができる。よって、操作部７の動きを、機械的な機構に適したピストン運動に変換して、開閉機構６に伝達することができる。また、操作スライド部材１７は操作スライド方向Ｘにスライドするため、操作スライド部材１７が容器本体２から突出する部分における、操作スライド部材１７と容器本体２との間の隙間を低減することが可能になり、当該隙間から操作部７側に液体が進入することを抑制できる。
【００３２】
本実施形態では、操作スライド方向Ｘは、水平方向Ｈ及び径方向に平行にされている。以下では、説明の簡略化のため、操作スライド方向Ｘを径方向に簡略化して説明する場合がある。操作スライド方向Ｘにおける操作スライド部材１７から開閉機構６に向かう側を径方向内側に簡略化し、操作スライド方向Ｘにおける開閉機構６から操作スライド部材１７に向かう側を径方向外側に簡略化する。操作スライド方向Ｘは、上記した開閉スライド部材２１の開閉スライド方向Ｙと平行であり、回転軸方向Ｚと直交している。操作スライド部材１７は、操作スライド方向Ｘ（径方向）に延びる柱状（本例では、円柱状）のスライド軸体１８を有しており、スライド軸体１８が、容器本体２から開閉機構６に向かって突出する。スライド軸体１８の中心線は、開口部１０の中心線Ｃと直交するように構成されている。スライド軸体１８の径方向内側の端面が、開閉機構６（開閉スライド部材２１の被押圧面６４）を径方向内側に押圧する突出押圧面７７とされる。操作スライド部材１７は、スライド軸体１８の径方向外側の端部から、上下方向Ｖに延びる被押圧延出部７６を備えている。被押圧延出部７６は、第一回転軸Ａの切欠き部分に入る程度の所定の回転軸方向Ｚの幅を有して、上側及び下側に延びる矩形板状に形成された部分と、矩形板状の部分の周囲を囲み、径方向内側に延びる周壁部分とを備えている。被押圧延出部７６の径方向外側の面は、第二作用部１６により押圧される押圧面とされている。
【００３３】
取っ手肩部３０の径方向内側の壁は、開口枠部材２７により構成されており、スライド軸体１８は、開口枠部材２７に形成された貫通孔３２を径方向内側に貫通し、開口枠部材２７の内周面よりも径方向内側に突出するように構成されている。貫通孔３２の内周面は、スライド軸体１８の外周面に嵌合するように形成されており、貫通孔３２とスライド軸体１８との間の隙間が少なくなるように構成されている。そのため、貫通孔３２とスライド軸体１８との間の隙間から操作部７側に液体が進入することを抑制できると共に、貫通孔３２によりスライド軸体１８を支持できる。貫通孔３２には、操作スライド部材１７（本例では、スライド軸体１８）との間をシールする円筒状のシール部材７９が設けられている。シール部材７９により、操作部７側に液体が浸入することをより確実に抑制できる。シール部材７９の径方向外側には、シール部材７９を径方向外側から押さえる円筒状の押えプレート８０が備えられている。スライド軸体１８は、弾性部材７８（本例ではコイルばね）により、開口枠部材２７に対して径方向外側に付勢されている。弾性部材７８は、スライド軸体１８の外周側であって、押えプレート８０と被押圧延出部７６との間に配置されている。図２及び図３に示すように、ユーザにより第一操作レバー８が押圧されていない状態では、スライド軸体１８は径方向外側にスライドし、スライド軸体１８が貫通孔３２から径方向外側に引っ込むと共に、第二操作レバー９及び第一操作レバー８を径方向外側に押圧する。一方、図４に示すように、ユーザにより第一操作レバー８が押圧されると、スライド軸体１８は径方向内側にスライドし、スライド軸体１８が貫通孔３２から径方向内側に突出する。スライド軸体１８が径方向内側に突出すると、スライド軸体１８の突出押圧面７７が、開閉スライド部材２１の被押圧面６４を径方向内側に押圧し、開閉弁５を開かせる。
【００３４】
〔別実施形態〕本発明は、前述した実施の形態に限定されるわけでなく、その他種々の変更が可能である。変更の例として、以下に本発明の別実施形態について説明する。なお、以下の各実施形態の構成は、それぞれ単独で適用されるものに限られず、矛盾が生じない限り、他の実施形態の構成と組み合わせて適用することも可能である。
（１）上記の実施形態においては、液体容器１は、コーヒメーカ５０に組み込まれており、第二開閉弁３８を備えている場合を例に説明した。しかし、液体容器１は、コーヒメーカ５０に組み込まれておらず、コーヒメーカ５０用の第二開閉弁３８を備えていなくてもよく、例えば、液体容器１は、ヒータを有する電気ケトルとされたり、ヒータを有しない真空構造又は非真空構造のポットとされたりしてもよい。
（２）上記の実施形態においては、栓体４は、容器本体２の開口部１０にねじ込まれるねじ込み式とされている場合を例に説明した。しかし、栓体４は、容器本体２の開口部１０に嵌め込まれる嵌め込み式や、ヒンジにより開閉するヒンジ開閉式など、容器本体２の開口部１０に取り付けられれば、どのような方式のものであってもよい。
（３）上記の実施形態においては、栓体４に設けられた開閉機構６は、傾斜面２２を有する開閉スライド部材２１を備えている場合を例に説明した。しかし、開閉機構６は、第一操作レバー８の回動による操作力により、開閉弁５を開閉させることができる機構であればどのような機構であってもよく、例えば、回動機構であってもよい。
【００３５】
（４）上記の実施形態においては、操作部７は、第二作用部１６の押圧力により、少なくとも水平方向Ｈの成分を有する操作スライド方向Ｘにスライドする操作スライド部材１７を備えている場合を例に説明した。しかし、操作部７は、操作スライド部材１７を備えていなくともよい。図３及び図４と同様に開閉機構６を一部側面図化した図７及び図８の縦断面図に示すように、上側延出部１４は、開閉機構６に向かって突出した突出部１９を有し、第二作用部１６は、突出部１９に設けられていてもよく、突出部１９は、第二被押圧部１５が第一作用部１３により押圧されることにより、容器本体２から開閉機構６に向かって突出し、開閉弁５を開閉させるように構成されてもよい。図７が、開閉弁５が閉じられた状態を示しており、図８が、開閉弁５が開かれた状態を示している。第二操作レバー９に係る部分以外は上記の実施形態と同様であるので、説明を省略する。第二操作レバー９を構成する上側延出部１４は、第二回転軸Ｂから上側に延びる延出本体部８２と、延出本体部８２の上端部から径方向内側に延びる突出部１９とを有している。延出本体部８２の径方向外側面が、第一操作レバー８の第一作用部１３により押圧される第二被押圧部１５とされる。突出部１９の径方向内側の先端が、開閉機構６（開閉スライド部材２１の被押圧面６４）を径方向内側に押圧する第二作用部１６とされる。上側延出部１４は、弾性部材８１（本例ではコイルばね）により、開口枠部材２７に対して径方向外側に付勢されている。弾性部材８１は、開口枠部材２７と延出本体部８２との間に配置されている。図７に示すように、ユーザにより第一操作レバー８が押圧されていない状態では、上側延出部１４は径方向外側に回動し、突出部１９の先端が開口枠部材２７に形成された開口部８３から径方向外側に引っ込むと共に、第一操作レバー８を径方向外側に押圧する。一方、図８に示すように、ユーザにより第一操作レバー８が押圧されると、上側延出部１４は径方向内側に回動し、突出部１９の先端が開口部８３から径方向内側に突出する。突出部１９が径方向内側に突出すると、突出部１９の先端の第二作用部１６が、開閉スライド部材２１の被押圧面６４を径方向内側に押圧し、開閉弁５を開かせる。
【００３６】
（５）上記の実施形態においては、操作部７は、第二操作レバー９を備えている場合を例に説明した。しかし、操作部７は、第二操作レバー９を備えていなくてもよく、例えば、第一操作レバー８の第一作用部１３によりスライド軸体１８を押圧したり、第一操作レバー８の内側突出部７２（第一作用部１３）を、開口枠部材２７の貫通孔３２まで径方向内側に延出させて、第一作用部１３の押圧力を開閉機構６に伝達するように構成されたり、第二操作レバー９とは異なる回動機構を備えたりしてもよい。
（６）上記の実施形態においては、操作部７は、第一操作レバー８の回動動作により生じた、第二操作レバー９の第二作用部１６の押圧力により、操作スライド方向Ｘにスライドする操作スライド部材１７を備え、操作スライド部材１７は、第一操作レバー８の回動動作の結果、第二操作レバー９の第二作用部１６により押圧されることにより、容器本体２から開閉機構６に向かって突出し、開閉弁５を開閉させる場合を例に説明した。しかし、操作部７は、第一操作レバー８の回動動作により生じた、第一操作レバー８（第一作用部１３）の押圧力により、操作スライド方向Ｘにスライドする操作スライド部材１７を備えており、操作スライド部材１７は、第一操作レバー８の回動動作の結果、第一操作レバー８（第一作用部１３）により押圧されることにより、容器本体２から開閉機構６に向かって突出し、開閉弁５を開閉させるように構成されていてもよい。例えば、第一操作レバー８の第一作用部１３が、操作スライド部材１７の被押圧延出部７６を押圧するように構成されてもよい。なお、この場合は、操作部７は、第二操作レバー９を備えていない。
（７）上記の実施形態においては、下側延出部１１は、下側及び径方向外側の成分を有する方向に延びている場合を例に説明した。しかし、下側延出部１１は、少なくとも下側の成分を有する方向に延びていればよく、例えば、下側に延びていてもよく、又は、下側及び径方向内側の成分を有する方向に延びていてもよい。或いは、下側延出部１１は、上記の実施形態のように、下側に延びながら、径方向外側や径方向内側などの他の方向にも複雑に延びていてもよい。また、上記の実施形態においては、上側延出部１４は、上側に延びている場合を例に説明した。しかし、上側延出部１４は、少なくとも上側の成分を有する方向に延びていればよく、例えば、上側及び径方向内側の成分を有する方向に延びていてもよく、又は、上側及び径方向外側の成分を有する方向に延びていてもよい。或いは、上側延出部１４は、上記の実施形態のように、上側に延びながら、径方向外側や径方向内側などの他の方向にも複雑に延びていてもよい。
（８）上記の実施形態においては、第一操作レバー８におけるユーザにより押圧される押圧面２０は、押圧されていない状態で、少なくとも上側の成分を有する方向を向いている場合を例に説明した。しかし、押圧面２０は、少なくとも上側の成分を有する方向を向いていなくともよく、例えば、径方向外側を向いていてもよい。
【００３７】
（９）上記の実施形態においては、第一操作レバー８は、第一回転軸Ａから少なくとも下側の成分を有する方向に延びた下側延出部１１を有しており、下側延出部１１に、押圧面２０を有する第一被押圧部１２と、第一作用部１３と、を有している場合を例に説明した。しかし、操作部７は、取っ手３に支持された第一回転軸Ａ周りに回動する第一操作レバー８を備え、第一操作レバー８の回動動作により開閉弁５を開閉させる操作力を生じればどのような構成でもよく、例えば、第一操作レバー８は、第一回転軸Ａから少なくとも上側の成分を有する方向（例えば、上側及び径方向内側の成分を有する方向）に延びた上側延出部を有しており、上側延出部に、ユーザにより押圧される押圧面を有する第一被押圧部と、第一被押圧部の押圧力により生じた力を開閉機構６側に伝達する第一作用部と、を有していてもよい。この場合は、第一回転軸Ａは、開閉スライド部材２１の上下方向Ｖの位置よりも下側に配置されていてもよい。
（１０）上記の実施形態においては、取っ手３（内側部材２８）と、開口部１０を構成する開口枠部材２７とが一体形成されている場合を例に説明した。しかし、取っ手３（内側部材２８）と開口枠部材２７とが別部材により構成され、締結部材などにより、互いに連結されていてもよい。
（１１）上記の実施形態においては、取っ手３（内側部材２８）と、開口部１０を構成する開口枠部材２７とが一体形成されており、開口枠部材２７にスライド軸体１８が貫通する貫通孔３２が形成されている場合を例に説明した。しかし、取っ手３（内側部材２８）と開口枠部材２７とが別部材により構成され、開口枠部材２７の周方向の一部が切り欠けられ、開口枠部材２７が切り欠けられた開口部１０の部分が、取っ手３（取っ手肩部３０）に設けられた径方向内側の壁により構成され、取っ手３の径方向内側の壁に、スライド軸体１８が貫通する貫通孔３２が形成されていてもよい。
【産業上の利用可能性】
【００３８】
本発明は、液体を溜める液体容器、及び液体容器を備えたコーヒメーカに好適に利用することができる。
【符号の説明】
【００３９】
１：液体容器、２：容器本体、３：取っ手、４：栓体、５：開閉弁、６：開閉機構、７：操作部、８：第一操作レバー（操作レバー）、９：第二操作レバー、１０：開口部、１１：下側延出部、１２：第一被押圧部（被押圧部）、１３：第一作用部（作用部）、１４：上側延出部、１５：第二被押圧部、１６：第二作用部、１７：操作スライド部材、１８：スライド軸体、１９：突出部、２０：押圧面、２１：開閉スライド部材、２２：傾斜面、３２：貫通孔、３９：流路、５０：コーヒメーカ、５１：水タンク、５２：コーヒ抽出部、５３：抽出容器、７９：シール部材、Ａ：第一回転軸（回転軸）、Ｂ：第二回転軸、Ｈ：水平方向、Ｘ：操作スライド方向、Ｙ：開閉スライド方向
【図１】
0006306496.tif 000002
【図２】
0006306496.tif 000003
【図３】
0006306496.tif 000004
【図４】
0006306496.tif 000005
【図５】
0006306496.tif 000006
【図６】
0006306496.tif 000007
【図７】
0006306496.tif 000008
【図８】
0006306496.tif 000009